【手続補正書】
【提出日】平成16年9月15日(2004.9.15)
【手続補正１】
【補正対象書類名】明細書
【補正対象項目名】特許請求の範囲
【補正方法】変更
【補正の内容】
【特許請求の範囲】
【請求項１】
ヒンジ部を介して結合された第１および第２のケースを含む折り畳み可能な携帯電話機であって、
それぞれ前記第１および第２のケース内に設けられた第１および第２の電子回路部、
それぞれ前記第１および第２の電子回路部をシールドするための第１および第２のシールド部材、および
前記第１の電子回路部に含まれる通信回路と前記第２のシールド部材とを電気的に接続する導電部材を備え、
前記第２のシールド部材は前記携帯電話機のアンテナを兼ねている、携帯電話機。
【請求項２】
前記第２のシールド部材は、そのアンテナ特性を調整するためのスリットを含む、請求項１に記載の携帯電話機。
【請求項３】
前記第２のシールド部材は、そのアンテナ特性を調整するための延長部を含む、請求項１に記載の携帯電話機。
【請求項４】
さらに、前記通信回路と前記第２のシールド部材の間に接続されたアンテナ用整合回路を備える、請求項１に記載の携帯電話機。
【請求項５】
さらに、前記携帯電話機が折り畳まれていない場合に整合する第１のアンテナ用整合回路、
前記携帯電話機が折り畳まれている場合に整合する第２のアンテナ用整合回路、
前記携帯電話機が折り畳まれているか否かを検出するための検出器、および
前記検出器の検出結果に基づいて動作し、前記携帯電話機が折り畳まれていない場合は前記第１のアンテナ用整合回路を前記通信回路と前記第２のシールド部材との間に接続し、前記携帯電話機が折り畳まれている場合は前記第２のアンテナ用整合回路を前記通信回路と前記第２のシールド部材との間に接続する切換回路を備える、請求項１に記載の携帯電話機。
【請求項６】
さらに、前記第１のケースに設けられ、その給電部が前記通信回路に接続されたアンテナを備え、
前記通信回路は、前記第２のシールド部材および前記アンテナを介して基地局と通信する、請求項１に記載の携帯電話機。
【請求項７】
さらに、前記第２のケースに設けられ、その給電部が前記第２のシールド部材に接続されたアンテナを備え、
前記通信回路は、前記第２のシールド部材および前記アンテナを介して基地局と通信する、請求項１に記載の携帯電話機。
【請求項８】
さらに、前記第２のシールド部材と前記アンテナの給電部との間に接続された前記アンテナ用の整合回路を備える、請求項７に記載の携帯電話機。
【請求項９】
さらに、前記第１のケースに設けられたアンテナ、
前記携帯電話機の使用者の手が前記アンテナに触れているか否かを検出するための検出器、および
前記検出器の検出結果に基づいて動作し、前記使用者の手が前記アンテナに触れていない場合は前記通信回路と前記アンテナを接続し、前記使用者の手が前記アンテナに触れている場合は前記通信回路と前記第２のシールド部材とを接続する切換回路を備え、
前記通信回路は、前記切換回路によって接続された前記アンテナまたは前記第２のシールド部材を介して基地局と通信する、請求項１に記載の携帯電話機。
【請求項１０】
第１の電子回路部と、
第２の電子回路部と、
前記第２の電子回路部が実装されるとともにグランド層を含む基板と、
導電性部材により形成され、前記基板上の前記第２の電子回路部をシールドするとともに前記基板の前記グランド層と導通するシールド層を含むシールド部材と、
前記第１の電子回路部に含まれる電子部品である通信回路と、
前記通信回路と前記グランド層を電気的に接続する導電部材とを備えた、携帯電話機。
【請求項１１】
操作部が設けられるとともに前記第１の電子回路部を収納する第１のケースと、
表示部が設けられるとともに前記基板を収納する第２のケースと、
前記第１のケースまたは前記第２のケースに設けられ、前記通信回路と電気的に接続されたアンテナとを備える、請求項１０に記載の携帯電話機。
【手続補正２】
【補正対象書類名】明細書
【補正対象項目名】０００７
【補正方法】変更
【補正の内容】
【０００７】
【課題を解決するための手段】
この発明に係る携帯電話機は、ヒンジ部を介して結合された第１および第２のケースを含む折り畳み可能な携帯電話機であって、それぞれ第１および第２のケース内に設けられた第１および第２の電子回路部と、それぞれ第１および第２の電子回路部をシールドするための第１および第２のシールド部材と、第１の電子回路部に含まれる通信回路と第２のシールド部材とを電気的に接続する導電部材とを備え、第２のシールド部材は携帯電話機のアンテナを兼ねていることを特徴としている。
【手続補正３】
【補正対象書類名】明細書
【補正対象項目名】０００８
【補正方法】削除
【補正の内容】
【手続補正４】
【補正対象書類名】明細書
【補正対象項目名】００１６
【補正方法】変更
【補正の内容】
【００１６】
また好ましくは、さらに、第１のケースに設けられたアンテナと、携帯電話機の使用者の手がアンテナに触れているか否かを検出するための検出器と、検出器の検出結果に基づいて動作し、使用者の手がアンテナに触れていない場合は通信回路とアンテナを接続し、使用者の手がアンテナに触れている場合は通信回路と第２のシールド部材とを接続する切換回路とが設けられ、通信回路は、切換回路によって接続されたアンテナまたは第２のシールド部材を介して基地局と通信する。
また、この発明に係る他の携帯電話機は、第１の電子回路部と、第２の電子回路部と、第２の電子回路部が実装されるとともにグランド層を含む基板と、導電性部材により形成され、基板上の第２の電子回路部をシールドするとともに基板のグランド層と導通するシールド層を含むシールド部材と、第１の電子回路部に含まれる電子部品である通信回路と、通信回路とグランド層を電気的に接続する導電部材とを備えたことを特徴としている。
好ましくは、操作部が設けられるとともに第１の電子回路部を収納する第１のケースと、表示部が設けられるとともに基板を収納する第２のケースと、第１のケースまたは第２のケースに設けられ、通信回路と電気的に接続されたアンテナとが設けられる。
【手続補正５】
【補正対象書類名】明細書
【補正対象項目名】００３８
【補正方法】変更
【補正の内容】
【００３８】
【発明の効果】
以上のように、この発明に係る携帯電話機では、それぞれ第１および第２のケース内に設けられた第１および第２の電子回路部と、それぞれ第１および第２の電子回路部をシールドするための第１および第２のシールド部材と、第１の電子回路部に含まれる通信回路と第２のシールド部材とを電気的に接続する導電部材とが設けられ、第２のシールド部材が携帯電話機のアンテナを兼ねている。したがって、アンテナとして用いられるシールド部材は従来のアンテナよりも十分に大きいので、携帯電話機の使用者の手の状態による利得変化を小さくすることができ、通信状態の安定化を図ることができる。
【手続補正６】
【補正対象書類名】明細書
【補正対象項目名】００３９
【補正方法】削除
【補正の内容】
【手続補正７】
【補正対象書類名】明細書
【補正対象項目名】００４７
【補正方法】変更
【補正の内容】
【００４７】
また好ましくは、さらに、第１のケースに設けられたアンテナと、携帯電話機の使用者の手がアンテナに触れているか否かを検出するための検出器と、検出器の検出結果に基づいて動作し、使用者の手がアンテナに触れていない場合は通信回路とアンテナを接続し、使用者の手がアンテナに触れている場合は通信回路と第２のシールド部材とを接続する切換回路とが設けられ、通信回路は、切換回路によって接続されたアンテナまたは第２のシールド部材を介して基地局と通信する。この場合は、使用者の手がアンテナに触れているか否かに関係なく、良好な通信状態を得ることができる。
また、この発明に係る他の携帯電話機では、第１の電子回路部と、第２の電子回路部と、第２の電子回路部が実装されるとともにグランド層を含む基板と、導電性部材により形成され、基板上の第２の電子回路部をシールドするとともに基板のグランド層と導通するシールド層を含むシールド部材と、第１の電子回路部に含まれる電子部品である通信回路と、通信回路とグランド層を電気的に接続する導電部材とが設けられる。したがって、グランド層とシールド層をアンテナとして使用することができる。また、アンテナとして用いられるグランド層およびシールド層は従来のアンテナよりも十分に大きいので、携帯電話機の使用者の手の状態による利得変化を小さくすることができ、通信状態の安定化を図ることができる。
好ましくは、操作部が設けられるとともに第１の電子回路部を収納する第１のケースと、表示部が設けられるとともに基板を収納する第２のケースと、第１のケースまたは第２のケースに設けられ、通信回路と電気的に接続されたアンテナとが設けられる。この場合は、グランド層およびシールド層とアンテナとを用いるので、使用者の手の状態による利得変化を一層小さくすることができる。